(57)【要約】変形可能な導管（１４）の周囲にコンクリート厚板（４６）が配置された場合に、防火カラー（１０）は、導管（１４）が通過する通路（１６）を備えたハウジングを有する。防火カラー（１０）はハウジングを有しており、このハウジング内にはアーム（３０，３２）を備えた圧縮バネ（１８，２０）が配置されている。このアームは可融性のリンク（３４，３６）により、圧縮バネ（１８，２０）の力に抗して保持されている。コンクリート厚板（４６）の一方の側の火炎の熱により、可融性のリンク（３４，３６）が軟化するかあるいは融解すると、圧縮バネ（１８，２０）の力により、バネアーム（３０，３２）が導管（１４）に向かって回転し、導管（１４）と係合し、そして導管を潰す。熱膨張性層（４２）は導管（１４）を潰すのを助けるために、導管の周囲に設けられている。
2006517278.tif 000002
【特許請求の範囲】
【請求項１】
火炎がバリアーの一方の側から前記バリアーの他方の側へ伝播するのを防ぐための防火カラーであって、
前記防火カラーが、前記バリアー内に設けられておりかつ前記バリアーを横断する変形可能な導管を取囲むかあるいは内蔵しており、前記防火カラーがさらに、前記変形可能な導管を潰すことにより前記火炎に反応している防火カラーにおいて、
前記防火カラーが、クランプ手段を備えていること、
前記クランプ手段が、保持手段により第一位置内に保持されていること、そして
前記火炎の結果として、前もって決めた温度に達すると、
前記クランプ手段が解除され、それにより第二位置へ向かって移動し、それにより前記クランプ手段が第一に前記導管に接触し、さらに前記導管を潰すように、前記保持手段が作動することを特徴とする遠心分離装置。
【請求項２】
前記クランプ手段が作動部材を備えていることを特徴とする請求項１記載の防火カラー。
【請求項３】
前記作動部材が、通常前記第二位置に対して偏向しているアームであることを特徴とする請求項２記載の防火カラー。
【請求項４】
前記アームがバネ手段の一部であり、前記バネ手段により前記アームが前記第二位置に対して偏向していることを特徴とする請求項３記載の防火カラー。
【請求項５】
前記バネ手段が圧縮バネであること、および前記アームが前記バネの一方の端部を構成していることを特徴とする請求項４記載の防火カラー。
【請求項６】
前記保持手段が戻り止めであることを特徴とする請求項１〜５のいずれか一つに記載の防火カラー。
【請求項７】
前もって決めた温度に達した場合に、前記戻り止めが前記アームを解除する可融性のリンクの形であることを特徴とする請求項１〜６のいずれか一つに記載の防火カラー。
【請求項８】
前記可融性のリンクがケーブルタイであることを特徴とする請求項７記載の防火カラー。
【請求項９】
相対するアームを備えた二つのバネアームが、前記クランプ手段を構成していることを特徴とする請求項４〜８のいずれか一つに記載の防火カラー。
【請求項１０】
前記導管を取囲んでいる通路を備え、前記通路が前記導管よりも大きな断面積を有していることを特徴とする請求項１〜９のいずれか一つに記載の防火カラー。
【請求項１１】
前記防火カラーが変形可能な導管の一部を含んでおり、この変形可能な導管の一部が導管の他の部分に取付け可能であることを特徴とする請求項１〜１０のいずれか一つに記載の防火カラー。
【請求項１２】
前記通路が個々の導管を取囲むのに適合していることを特徴とする請求項１〜１０のいずれか一つに記載の防火カラー。
【請求項１３】
前記導管が潰れる際に、補助するのに適合した熱膨張性材料を備えていることを特徴とする請求項１〜１２のいずれか一つに記載の防火カラー。
【請求項１４】
前記熱膨張性材料が、火災の状態において、外に向かって膨張できないが、前記導管に向かって内方へ膨張できる手段の内側に、前記熱膨張性材料が含まれていることを特徴とする請求項１３記載の防火カラー。
【請求項１５】
前記手段が、ガラス布の一部および／または板、好ましくは金属板により構成されていることを特徴とする請求項１４記載の防火カラー。
【発明の詳細な説明】
【技術分野】
【０００１】
本発明は、建築物内における、壁、床、隔壁あるいはこれに類するもののようなバリアーの一方の側から、バリアーの中を延びる配管あるいはダクトを通って、他方の側へ火炎が伝播するのを防ぐための装置に関する。特に本発明は、高層建築物の床あるいは壁を形成しているコンクリート厚板内に配置するための防火カラーの新しい形態に関する。
【背景技術】
【０００２】
壁内のパイプ、導管あるいはダクト、床、隔壁およびこれに類するもの、防火ダンパー及び防火カラーを通って、火炎が伝播するのを防ぐために使用される装置には一般的に二つのタイプがある。防火ダンパーは通常バリアーの中に配置されており、かつ配管あるいはダクトに連結している。防火ダンパーは、バリアーの一方の側の火炎によりダンパーに組み込まれた熱検出器が作動した場合に、弁機構により閉鎖可能な通路を備えている。このタイプの防火ダンパーの実例は、特許文献１に記載されている。
【０００３】
防火カラーは、ＰＶＣ、ゴムあるいは変形可能な金属もしくは複合材料のような合成樹脂材料を含めた変形可能な材料から形成された配管あるいはダクトと一緒に通常使用されている。一般タイプの防火カラーは、金属カラーから成り、厚板を通過する領域内において、合成樹脂材料から形成されたコンクリート厚板を貫通するパイプの周囲に固定されている。防火カラーは熱膨張性材料を囲む。コンクリート厚板の一方の側の火炎が十分な強度に達すると、火炎により熱膨張性材料は膨張し、それにより変形可能なパイプは潰れるかあるいははさみ潰される。このようにして火炎は、導管を通過してコンクリート厚板の他方の側に伝播するのを防止される。このような防火カラーの実例は、特許文献２および特許文献３に記載されている。防火カラーの他の実例において、火炎の熱は厚板を貫通するパイプを融解し、続いて起こる熱膨張性材料の膨張により、融解したパイプにより残された空隙は封鎖される。
【０００４】
従来技術の防火カラーに伴う大きな問題は、火炎が急速にまわった場合に、熱膨張性材料が、融解したパイプにより残されたパイプあるいは空隙を封鎖するのに必要な時間があまりに長すぎることであり、その結果として、火炎はさらにバリアーの他方の側へ伝播してしまう可能性がある。
【０００５】
この問題を克服するための最近の試みの一つは、パイプあるいはダクトの直径にわたって形成された熱膨張性材料の格子を有する管状インサートから成る防火ダンパーである。しかしながら、このような構造によりきわめて急速な封止が容易になるが、この構造には、パイプあるいはダクトを流れる流体の流れが遅くなるという欠点がある。このような流量の減少は、最終的に流体の流れが停止し得る程度に、パイプあるいはダクトがコンクリート厚板を通過する各位置で起こりえる。
【特許文献１】国際特許出願公開第０３／０２３２６７号明細書
【特許文献２】米国特許第５，０５８，３４６号明細書
【特許文献３】米国特許第５，３４７，７６７号明細書
【発明の開示】
【発明が解決しようとする課題】
【０００６】
本発明の課題は、改善された防火カラーを提供することにある。
【課題を解決するための手段】
【０００７】
本発明は、火炎がバリアーの一方の側から前記バリアーの他方の側へ伝播するのを防ぐための防火カラーであって、前記防火カラーが、前記バリアー内に設けられておりかつ前記バリアーを横断する変形可能な導管を取囲むかあるいは内蔵しており、前記防火カラーがさらに、前記変形可能な導管を崩壊させることにより前記火に反応している防火カラーにおいて、前記防火カラーが、クランプ手段を備えていること、  前記クランプ手段が、保持手段により第一位置内に保持されていること、そして前記火炎の結果として、前もって決めた温度に達すると、前記クランプ手段が解除され、それにより第二位置へ向かって移動し、前記クランプ手段が第一に前記導管に接触し、さらに前記導管を崩壊させるように、前記保持手段が作動することを特徴とする防火カラーを提供する。
【０００８】
この明細書を通じて、“バリアー”という術語は、壁、床（特に高層建築物内で使用されるタイプの厚板床）、隔壁あるいはこれに類するものを意味するものと扱われており、これらのものは建物のような構造物の特徴である。この明細書を通じて、“導管”という術語は、パイプ、配管、ダクトあるいはこれに類するものを示しており、これらのものは建物のような構造物の特徴である。
【０００９】
配管とダクトは、多くの構造物の内部で流体を搬送するのに使用されている。配管とダクトにより搬送される流体は、空調に使用される空気や排出ガスのようなガス類、及び廃液や水のような液体類を含む。導管は電気ケーブル、電話ケーブル、コンピューターネットワークケーブル、光ファイバーケーブル及びこれに類するもののようなケーブル類を通すのに使用されている。多くの構造物内において、構造物内部の領域間を伝播する火炎の回りを最小限に抑えなければならない。例えば、高層建築物内では配管、導管及びダクトが、階層間のコンクリート厚板のような隔壁を通過する。本発明の防火カラーは、様々な目的に使用される幅広い種類の配管、導管及びダクトに適している。
【００１０】
本発明の実施形態の防火カラーは、使用の際、防火カラーが置かれるバリアーの一方の側で火災が起こった場合に、変形可能な導管を崩壊させることを目的としている。一形態において、防火カラーは配管あるいはダクトを覆って取付けられ、そこで配管あるいはダクトは、それ自体変形可能であり、したがって配管あるいはダクトは変形可能な導管を形成する。代替案として、防火カラーはそこを通って延びている変形可能なカラーを備えていてもよく、変形可能な導管は、配管あるいはダクトを収容するためにか、あるいは配管あるいはダクト内に収容されるためにどちらかの側にアダプターを有している。変形可能な導管は、配管あるいはダクトと統合するのに適合した任意の都合のよい断面であってもよい。
【００１１】
変形可能な導管は、任意の都合のよい変形可能な材料から形成することができる。好適な変形可能な材料は、ＰＶＣ及びゴムのような合成樹脂材料、もしくは変形可能な金属あるいは複合材料を含む。この文脈における“変形可能な”という術語が、導管が基本的に潰されるかあるいははさみ潰される程度まで、弾性的にあるいは塑性的に変形可能であることを意味することは当業者が理解している。変形可能な導管は、パイプが火炎の中でさらされる温度で、そのように変形可能なＰＶＣパイプであるのが好ましい。これらの導管の材料特性が、導管が潰れるのに必要とされる温度と条件において当てはまることが知られている。例えばＰＶＣパイプが室温では潰れるポイントまで変形できないが、火災の場合にパイプがさらされる特別な温度では、導管はクランプ手段の圧力により潰れることもある。
【００１２】
本発明の実施形態の防火カラーは、任意の都合のよい形状であってもよく、かつ変形可能な導管を収容するための通路を有しているのが好ましい。防火カラーを貫通する通路は、導管が潰れる際に導管の変形を受容するために、十分大きな断面積を有しているのが好ましい。
【００１３】
本発明の一実施形態において、クランプは防火カラーの内側に配置することができる。代替案として、クランプは防火カラーの外側面に取付けることができる。通常、防火カラーはコンクリート厚板の内側に取り付けるために設計されているので、クランプと、その関連するデテント（detent）は、コンクリート厚板による干渉がない状態では、自由に移動できるように防火カラーの内側に配置されているのが好ましい。
【００１４】
防火カラーは、合成樹脂材料を含む任意の都合のよい材料で形成することができる。防火カラーは鋳造でできていてもよい。火災の場合に、防火カラーの熱膨張性材料が伸び、さらに導管の改善された封止を提供するために変形可能な導管を潰し、火炎がバリアーを通って伝播するのを最小限に抑えるように、防火カラーは熱膨張性材料を含有しているのが好ましい。
【００１５】
クランプ手段は、一つ以上の可動アームから形成されていてもよく、かつ一つ以上の可動アームが通常の向きにおいて支持する固定されたアンビルを備えていてもよい。本発明の好ましい実施形態において、クランプは一組の相対しているアームを備え、その間で変形可能な導管はバリアーの一方の側で火炎に対応して潰される。
【００１６】
クランプは通常第二位置に対して偏向しており、そこでクランプアームは変形可能な導管上に位置しておりかつ導管を潰す。クランプはバネのような弾性部材を使用することにより、第二位置に対して偏向していてもよい。クランプの可動なアームは弾性部材により偏向していてもよい。好ましい一形態において、クランプは変形可能な導管の相対する側のカラーの内側で、回転可能に取り付けられた相対する一組のアームにより設けられている。相対するアームはバネ鋼から形成されてもよく、かつバネ取付け部に枢着されるコイルバネの一部であってもよい。コイルバネの一方の端部は、可動なクランプのアームを形成する。コイルバネの他方の端部は、コイルから延びており、かつ可動なアームが第一位置に対して回転する際に、エネルギーがバネアーム内に蓄積されるように防火カラー内での回転に抗して保持されている。デテントは第一位置でバネアームを保持する。相対する一組のアームは各々、解除の際防火カラーを通る通路を横切って移動するように偏向している。変形可能な導管が適所にある状態で、アームは各々、カラーを通る通路を直径方向に横切る変形可能な導管を潰す。防火カラーは、変形可能な導管が基本的に直径方向に潰
されるように相対する可動なアームを備えているのが好ましい。唯一つのアームは変形可能な導管を完全に潰すために通路を完全に横切って移動する必要があるが、相対するアームは各々通路をおよそ半分横切るだけでよいので、二つの相対すアームを利用して変形可能な導管を潰すのは、アンビルに抗して唯一つの可動なアームを使用するよりも速いことがわかっている。
【００１７】
クランプの可動なアームが第二位置に向かって押し進められるように第一位置で張力あるいは圧縮が保持されるバネを含めた、他の偏向した機構を使用できることがわかっている。
【００１８】
他の実施形態において、クランプは導管の相対する側に位置決めされた二つの相対するバーから形成されていてもよい。相対するバーは予備緊張したバネを使用して第二位置に向かって偏向していてもよい。予備緊張したバネは相対するバーを互いに直接連結するかあるいは防火カラーに連結していてもよい。相対するバーが予備緊張したバネを使用して
互いに連結している場合、連結部は導管と係合するバーの部分に対して引っ込んでいるのが好ましい。このようにして、予備緊張したバネは、バーが第二位置で導管を完全に潰すように凹部の内側で潰れることができる。予備緊張したバネは、防火カラーと係合している場合、相対するバーの各々の位置を維持するように相対するバーを自由に通過できる。
【００１９】
本発明の別の実施形態において、クランプは導管の周囲に引かれたワイヤーあるいはコードの形であってもよい。コードはデテントを使用することにより予備緊張した状態で保持された予備緊張したコイルドラムを使うことにより偏向されていてもよい。デテントが作動する際、コイルドラムは変形可能な導管を閉鎖するかあるいは潰すように、ワイヤーあるいはコードを引っ張る。例えば、ワイヤーあるいはコードの一方の端部は、防火カラーに取付けられ、導管の回りを一回り以上通過し、次いでコイルドラムに取付けられる。それにより、コイルドラムが作動する際、ワイヤーあるいはコードは、導管を閉鎖するかあるいは潰すように締まる。
【００２０】
火災時に生じるような高温で変形するＰＶＣ導管を使用する場合、潰れたＰＶＣ導管は導管を封止するように一箇所に結合することがわかっている。このことは導管を流れる煙やガスがそれ以上搬送されるのを防ぐ点で有利である。
【００２１】
クランプは少なくとも一つのデテントにより、第一位置で保持することができる。一形態において、デテントは二重特性を有する材料から形成されている。この二重特性とは、第一に、通常状態において第一位置でクランプを保持できること、そして第二に、防火カラーが配置されているバリアーの一方の側で火災があった場合に、出会ったタイプの前もって決めた温度まで加熱されると曲がることである。これらの特性により、デテントは熱検出器として考えられ、かつ第一位置においてクランプを保持できるが、前もって決めた温度に達して曲がると、クランプは第二位置まで移動し、それにより導管は潰れる。
【００２２】
デテントが変形する好適な熱検出材料は、鉛とその合金、合成樹脂材料及び様々な合成物である。通常、このような材料が曲がる温度は、政府あるいは地方自治体の要求に合うように、特別な用途に依存する、６０℃〜１２０℃の範囲にある。
【００２３】
本発明のさらに別の実施形態において、デテントは熱電対センサーあるいは、他の温度もしくは煙センサーにより作動可能である。センサーが前もって決めた温度の弁を検出すると、センサーは、クランプが閉鎖可能であるためのデテントを引っ込めるかあるいは解除することができる適切なソレノイドの回路を介して接続することができる。さらにこのような状態により、防火カラーは第一位置にリセットすることができる。
【００２４】
本発明の一実施形態において、変形可能な導管は熱膨張性材料のスリーブ内に収納されていてもよい。熱膨張性材料のスリーブ内に変形可能な導管を収納することにより、変形可能な導管の閉鎖が、火災時に出会う温度のような高温で加速されるのが有利である。熱膨張性材料のスリーブは、ガラス布のような可撓性でさらに非弾性の材料の外側スリーブにより囲まれているのが好ましい。熱膨張性スリーブをガラス布の外層で囲むことにより、熱膨張性材料が外側に向かって伸びるのを防ぎ、膨張が内側に向かい、それにより変形可能な導管はさらに潰れる。
【発明を実施するための最良の形態】
【００２５】
本発明の実施形態を、添付の図を用いて詳しく説明する。
【実施例】
【００２６】
図１は防火カラー１０を示しており、この防火カラーは、パイプ、導管、ダクトあるいはそれに類するもの１４を取囲むようになっている。防火カラー１０はハウジング１２を備え、このハウジングはそこを通って延びている通路１６を有しており、ハウジングの通路１６内には、ＰＶＣ導管１４が配置されている。
【００２７】
ハウジング１２の内部にはさらに二つのバネ１８，２０が配置されている。バネ１８，２０はほぼ同一であり、かつハウジング１２の内部で、通路１６の相対する側に設けられている。バネ１８，２０は、各々圧縮バネであるのが好ましい。バネ１８はバネ取付台２２に回転可能に設けられており、一方バネ２０はバネ取付台２４に回転可能に設けられている。バネ１８の一方の端部２６は、取付台２２を中心にした回転運動に抗して、ハウジング１２により常に拘束されており、一方バネ２０の一方の端部２８は、取付台２４を中心にした回転運動に抗して、ハウジング１２により常に拘束されている。
【００２８】
バネ１８の他端部３０はアームを形成しながら延びており、一方バネ２０の他端部３２もアームを形成しながら延びている。アーム３０はデテント３４により正常状態において
バネ１８の力に抗して適所に保持されており、このデテントは可融性のリンクバネアーム解除部材である。一方、アーム３２はデテント３６により正常状態においてバネ２０の力に抗して適所に保持されており、このデテントは可融性のリンクバネアーム解除部材である。デテント３４，３６は、前もって決めた温度で作動する限り、どんな形状をとってもよい。デテントにより、アーム３０，３２は解除され、バネ１８，２０の各々の力により、図１に示した矢印の方向で、第二位置の方向に向かって移動する。好ましい可融性のリンク３４，３６の形態の一つは、鉄筋およびその類のようなものの束を固定するのに使用される、従来のケーブルタイである。ケーブルタイは、プラスチック材料から形成されており、このプラスチック材料は、火炎が厚板４６の一方の側にある場合には、少なくとも軟化し、かつ検出されるべき種類の温度ではおそらく融解し、それによりアーム３０，３２はバネ１８，２０の力で移動し潰れる。通常の環境下において、ケーブルタイは、第一位置ではアーム３０，３２を保持するために理想的に作動し、かつこのようなケーブルタイの従来の用途の場合に行われるのと同じ方法で使用される。
【００２９】
通路１６は基本的に導管１４の外側輪郭部を追従するが、以下に記載されるように、導管１４の変形を吸収できるように横方向に延びている。通路１６が横方向に延びていると、導管の潰れに対する抵抗は最小になる。
【００３０】
導管１４は各々連結導管３８，４０により形成されている。熱膨張性スリーブ４２は、外側導管４０の周囲に配置されている。ガラスクロスカバー４４は熱膨張性スリーブ４２を覆って配置することができる。
【００３１】
防火カラー１０は、壁、床、隔壁及びその類のもののようなバリアー内に設けられるようになっている。図２は１００ｍｍのコンクリート厚板４６内における図１の防火カラー１０を示す。防火カラー１０内部の導管１０は、肘形部４０の一方の端部の内側に設けられた水平パイプ３８から形成されている。垂直パイプ４８は肘形部４０の他方の端部に設けられている。パイプ３８，４８及び肘形部４０は、各々ＰＶＣ、もしくは少なくともパイプ３８と肘形部４０とを変形可能にする他の材料から形成されているのが好ましい。防火カラー１０のハウジング１２は、そこを通ってＰＶＣ導管３８が収容されている内側ランド部５０を有する。ＰＶＣ導管４０は第一ＰＶＣ導管３８を覆って防火カラー１０の中に収容されている。ＰＶＣ導管４０は、熱膨張性ライナー４２の内側に密着して収容され、かつカラーハウジング１２内に入ってランド部５０まで延びていてもよい。
【００３２】
防火カラー１０は、以下のように作用する。防火カラー１０の一方の側の火がＰＶＣ導管４０を通過する。これにより導管１４は加熱しかつ軟化する。熱膨張性ライナー４２は膨張し、かつ熱膨張性ライナーによりＰＶＣ導管１４は潰れ始める。温度がいったんプリセット値に達すると、可融性のリンクバネ解除部３４，３６が作動する。リンクバネ解除部が動くと、バネアーム３０，３２は、バネ１８，２０の力により、前述の矢印の方向に回転し、ＰＶＣ導管１４は潰れる。いったんＰＶＣ導管１４が潰れると、当接する内側面は互いに一体化しやすくなる。熱膨張性ライナー４２は膨張し続け、さらに導管１４を閉じる。防火カラー１０は、導管とバリアー４６内の任意の開口部をさらに閉じる熱膨張性材料で形成されている。
【００３３】
図３及び４は、図１の構造に似た構造を示す。図１，３及び４に共通の参照符号は、同じ機能を示す。図３及び４の防火カラー１０は、代替のほぼ垂直な厚板５２，５４内に設けられており、この厚板は床ではなく壁あるいは隔壁を形成する。しかしながら、図３及び４の防火カラー１０は、どのバリアーにおいても使用できる。
【００３４】
防火カラー１０は、“汎用” 防火カラーとして考えてもよく、異なる壁厚板のようなバリアーとして使用できる。厚板５２，５４は共通の面５６を有し、この面は破線５８，６０により各厚板５２，５４の他の面を示しており、これらの厚板は厚さは例えば各々１２５ｍｍと２００ｍｍである。
【００３５】
ハウジング１２の一方の端部６２は、他の異なる直径の導管への接続に応じるために、階段状になっていてもよい。例えば、導管３８が１００ｍｍあるいは１１３ｍｍの内径を有する場合、階段状の端部６２は、内径が９２ｍｍ，８３ｍｍ及び７１ｍｍの部分を有する。
【００３６】
特に図３によれば、バネ１８，２２の配列は、アーム２６，３０及び２８，３２が、開放位置でほぼ平行な位置にある点が、言い換えればダンパー１０の（図３に示したような）垂直側に対してほぼ平行である点が図１及び２とは異なる。
【００３７】
板６４、好ましくは金属板は、熱膨張性材料４２を、火事の場面における熱膨張性材料４２の膨張が、外向きではなく内向きであるように取囲み、したがって金属板は防火カラー１０の内側に収容されており、好ましい状態では、導管３８が潰れるのを助ける。
【００３８】
本発明の防火カラー１０は、任意の適切な材料で作ることができる。金属および／またはプラスチック材料が適切な材料である。
【００３９】
これにより特許文献４の明細書と図の内容全体が、本発明の中に取り込まれている。請求の範囲は本明細書の開示の一部を形成する。
【特許文献４】オーストラリア国特許出願第２００３９００５９２号仮明細書
【図面の簡単な説明】
【００４０】
【図１】本発明の実施形態による防火カラーの一実施形態の下面図である。
【図２】コンクリート厚板内に設けられた、図１の防火カラーの横断面図である。
【図３】本発明の他の実施形態による防火カラーの下面図である。
【図４】コンクリート厚板内に設けられた、図３の防火カラーの横断面図である。
【図１】
2006517278.tif 000003
【図２】
2006517278.tif 000004
【図３】
2006517278.tif 000005
【図４】
2006517278.tif 000006
【国際調査報告】
2006517278.tif 000007
2006517278.tif 000008